(57)【要約】【課題】  窓からの熱の出入りを減らし、冷暖房負荷を抑えることのできる窓の提供。【解決手段】  外窓１と内窓２とを備え、室外空間から外窓・内窓間の中間層３に連通する通気部４と、中間層３から室内空間に連通する通気部５を有し、室外空間から中間層３に連通する通気部４は、外窓１の外周側から中間層３にわたって設けてあり、室外と連通して外窓１の内側面に沿って一方向に空気が流れ、中間層３の端部で折り返し、室内と連通して内窓２の外側面に沿って他方向に空気が流れることで、室内から室外に逃げる熱を回収するか、室外から室内に入ってくる熱を室外に捨てる。【選択図】      図１
2020148039.tif 000002
【特許請求の範囲】
【請求項１】
外窓と内窓とを備え、室外空間から外窓・内窓間の中間層に連通する通気部と、中間層から室内空間に連通する通気部を有し、室外空間から中間層に連通する通気部は、外窓の外周側から中間層にわたって設けてあり、室外と連通して外窓の内側面に沿って一方向に空気が流れ、中間層の端部で折り返し、室内と連通して内窓の外側面に沿って他方向に空気が流れることで、室内から室外に逃げる熱を回収するか、室外から室内に入ってくる熱を室外に捨てることを特徴とする窓。
【請求項２】
外窓と内窓とを備え、室外空間から外窓・内窓間の中間層に連通する通気部と、中間層から室内空間に連通する通気部を有し、中間層から室内空間に連通する通気部は、内窓の外周側から中間層にわたって設けてあり、室外と連通して外窓の内側面に沿って一方向に空気が流れ、中間層の端部で折り返し、室内と連通して内窓の外側面に沿って他方向に空気が流れることで、室内から室外に逃げる熱を回収するか、室外から室内に入ってくる熱を室外に捨てることを特徴とする窓。
【発明の詳細な説明】
【技術分野】
【０００１】
本発明は、換気を行いつつ熱の出入りを少なくできる窓に関する。
【背景技術】
【０００２】
建物の室内環境は、空調設備で制御していたが、窓からの熱の出入りが多く電気代がかかるため、経済的に優れたものが求められていた。
【発明の概要】
【発明が解決しようとする課題】
【０００３】
本発明は以上に述べた実情に鑑み、窓からの熱の出入りを減らし、冷暖房負荷を抑えることのできる窓の提供を目的とする。
【課題を解決するための手段】
【０００４】
上記の課題を達成するために請求項１記載の発明による窓は、外窓と内窓とを備え、室外空間から外窓・内窓間の中間層に連通する通気部と、中間層から室内空間に連通する通気部を有し、室外空間から中間層に連通する通気部は、外窓の外周側から中間層にわたって設けてあり、室外と連通して外窓の内側面に沿って一方向に空気が流れ、中間層の端部で折り返し、室内と連通して内窓の外側面に沿って他方向に空気が流れることで、室内から室外に逃げる熱を回収するか、室外から室内に入ってくる熱を室外に捨てることを特徴とする。
【０００５】
請求項２記載の発明による窓は、外窓と内窓とを備え、室外空間から外窓・内窓間の中間層に連通する通気部と、中間層から室内空間に連通する通気部を有し、中間層から室内空間に連通する通気部は、内窓の外周側から中間層にわたって設けてあり、室外と連通して外窓の内側面に沿って一方向に空気が流れ、中間層の端部で折り返し、室内と連通して内窓の外側面に沿って他方向に空気が流れることで、室内から室外に逃げる熱を回収するか、室外から室内に入ってくる熱を室外に捨てることを特徴とする。
【発明の効果】
【０００６】
請求項１記載の発明による窓は、外窓と内窓とを備え、室外空間から外窓・内窓間の中間層に連通する通気部と、中間層から室内空間に連通する通気部を有し、室外空間から中間層に連通する通気部は、外窓の外周側から中間層にわたって設けてあり、室外と連通して外窓の内側面に沿って一方向に空気が流れ、中間層の端部で折り返し、室内と連通して内窓の外側面に沿って他方向に空気が流れることで、室内から室外に逃げる熱を回収するか、室外から室内に入ってくる熱を室外に捨てることで、窓からの熱の出入りを減らし、冷暖房負荷を抑えることができる。
【０００７】
請求項２記載の発明による窓は、外窓と内窓とを備え、室外空間から外窓・内窓間の中間層に連通する通気部と、中間層から室内空間に連通する通気部を有し、中間層から室内空間に連通する通気部は、内窓の外周側から中間層にわたって設けてあり、室外と連通して外窓の内側面に沿って一方向に空気が流れ、中間層の端部で折り返し、室内と連通して内窓の外側面に沿って他方向に空気が流れることで、室内から室外に逃げる熱を回収するか、室外から室内に入ってくる熱を室外に捨てることで、窓からの熱の出入りを減らし、冷暖房負荷を抑えることができる。
【図面の簡単な説明】
【０００８】
【図１】本発明の窓の第１実施形態を示す縦断面図である。
【図２】本発明の窓の第２実施形態を示す縦断面図である。
【図３】本発明の窓の第３実施形態を示す縦断面図である。
【図４】同窓の上枠側の額縁の室内側面図である。
【図５】本発明の窓の第４実施形態を示す縦断面図である。
【図６】本発明の窓の第５実施形態を示す縦断面図である。
【図７】本発明の窓の第６実施形態を示す縦断面図である。
【図８】本発明の窓の第７実施形態を示す縦断面図である。
【図９】同窓の上部を拡大して示す縦断面図である。
【発明を実施するための形態】
【０００９】
以下、本発明の実施の形態を図面に基づいて説明する。図１は、本発明の窓の第１実施形態（請求項１記載の発明の実施形態）を示している。この窓は、建物の窓開口部の室外側に設置した外窓１と、窓開口部の室内側に設置した内窓２とを備える二重窓となっている。外窓１と内窓２の間の中間層３には、透明な樹脂板等よりなる整流板６が上方から吊り下げて設けてある。
【００１０】
外窓１は、図１に示すように、建物の窓開口部に固定される枠７と、枠７内に引違い状に開閉自在に収めた外障子８ａ及び内障子８ｂとを備えている。枠７は、アルミ形材よりなる上枠９と下枠１０と左右の縦枠とを枠組みして構成されている。外障子８ａ及び内障子８ｂは、アルミ形材よりなる上框１１と下框１２と戸先框と召合せ框とを框組みし、その内側にガラス１３を嵌め込んで構成されている。
【００１１】
外窓１の上枠９の上方の外壁１４には通気口１５が設けてあり、額縁１６の整流板６より室外側の位置にも通気口１７が設けてある。これらの通気口１５，１７により、室外空間から中間層３に連通する通気部４が、外窓１の外周側から中間層３にわたって設けてある。外壁１４の通気口１５は、フード１８を取付けて雨水が入らないようにしてある。
【００１２】
内窓２は、図１に示すように、四周の額縁１６の内周側面に取付けた上枠１９と下枠２０及び左右の縦枠と、上下枠１９，２０間に引違い状に開閉自在に収めた外障子２１ａ及び内障子２１ｂを備えている。枠１９，２０と障子２１ａ，２１ｂの框は、樹脂製である。障子２１ａ，２１ｂのガラス２２は、複層ガラスである。外窓１の枠７と内窓２の枠１９．２０の間には木製の額縁１６があるため、外窓１と内窓２とは熱的に分離されている。
上枠１９の上部には、換気ブレス２３を備えている。換気ブレス２３は、室外側と室内側の見付面に多数の通気孔２４を設け、中間層３から室内空間に連通する通気部５が設けてある。通気部５の室内側には、埃や花粉等の侵入を防ぐフィルター２５が設けてある。
【００１３】
本窓は、樹脂製の枠及び框と複層ガラスを用いた内窓２を設けたことに加え、外窓１の外周側から中間層３にわたって設けた通気部４と中間層３と内窓２の通気部５を通じて室内外を空気が流れることで、空気の流入する方向とは逆方向の熱移動が妨げられ、より一層の断熱効果を発揮する。
冬期の場合について説明すると、換気扇等により室内を負圧に調整し、図１に示すように、本窓を空気が室外から室内に向けて流れるようにする（図中の矢印は、空気の流れを示す）。外壁１４から中間層３にわたって設けた通気部４から流入した冷たい空気（外気）は、通気口１７が内周側に向けて開口して設けてあることで、外窓１のガラス１３の室内側面に沿うように下向きに流出する。その後、冷たい空気はコールドドラフトにより中間層３の下まで流れてから折り返し、内窓２のガラス２２から室内の熱が伝わることで暖められ、ガラス２２の室外側面に沿って上昇し、この間にガラス２２から室外に逃げる熱を空気の流れによって回収する。また、窓に日射を受ける場合は、このように中間層３を外気が外窓１の内側面と内窓２の外側面に沿うように流れる間に、日射熱を取得することができる。その後、暖められた空気は内窓２上部の通気部５を通って室内に流入する。空気が通気部５を通過する際にも、室内の熱で暖められた換気ブレス２３や上枠１９の熱を空気の流れによって回収する。そうして暖められた空気を室内に取り入れることで、回収した熱を室内に戻すことができる。
【００１４】
このように、中間層３内を外窓１と内窓２に沿うように迂回して空気が流れることで、日射熱を取得できると共に、室内から室外に伝わる熱を空気の流れによって回収し、室内に戻すことで、室内から室外への熱の損失がほとんどなくなり、これにより空気が流入する方向とは逆方向である室内側から室外側への熱輸送が妨げられ、非常に高い断熱性が得られると共に、外気を暖めて室内に採り込めるので、暖房負荷を抑えることができる。
【００１５】
夏期には、換気扇等により室内を正圧に調整し、冬期とは逆に室内から室外に空気が流れるようにする。内窓２の通気部５から中間層３に流れ出た空気（内気）は、整流板６に当たって下向きに流れを変え、室内の空気の温度は室外よりも低いので、内窓２の室外側面に沿って下向きに流れる。その後、空気は中間層３の下部で折り返し、外窓１のガラス１３等の熱が伝わることで外窓１のガラス１３の室内側面に沿って上昇し、この間にガラス１３を通じて室外から室内に入ってくる熱と日射熱を空気の流れによって回収する。その後、中間層３から外壁１４にわたって設けた通気部４を通って空気が室外に放出される。そして、空気が室外に放出されることで、ガラス１３等から回収した熱と日射熱を室外に捨てる。このように日射熱及び室外から室内に伝わる熱を空気の流れによって回収し、室外に捨てることで、日射熱の取得を抑制でき、空気が流出する方向とは逆方向である室外側から室内側への熱輸送が妨げられるので、優れた断熱効果を発揮して、室内が涼しく保たれ、冷房負荷を抑えることができる。
【００１６】
本窓は、外窓１の周囲の外壁１４より中間層３にわたって通気部４を設けたことで、外窓１に通気部を設ける必要がないので、窓の外観意匠がシンプルになる。また、内窓２を後から取付けて二重窓とする場合に、既存の窓（外窓１）をそのまま利用できる。
【００１７】
図２は、本発明の窓の第２実施形態（請求項１記載の発明の実施形態）を示している。本実施形態は、外壁１４に通気口１５を設けずに、壁に設けられた通気層２６を利用して室外空間から中間層３に連通する通気部４を設けてある。本実施形態によれば、外壁１４に通気口１５が不要となるので、外観意匠をよりすっきりさせられ、外壁１４の穴明けが要らなくなるので施工も容易になる。
【００１８】
図３，４は、本発明の窓の第３実施形態（請求項２記載の発明の実施形態）を示している。外窓１は、障子８ａ，８ｂの上框１１に室内外に連通する通気部４が設けてある。内窓２は、上枠９に換気ブレス２３を設けずに、額縁１６に通気孔２７を開けることで、内窓２の外周側から中間層３にわたって通気部５を形成している。
【００１９】
本実施形態の窓は、第１実施形態の窓と同様に、冬期に外窓１の内側面と内窓２の外側面に沿うように空気（外気）が流れることで、日射熱を取得できると共に、室内から室外に伝わる熱を空気の流れによって回収し、室内に戻すことで、室内から室外への熱の損失がほとんどなくなり、これにより空気が流入する方向とは逆方向である室内側から室外側への熱輸送が妨げられ、非常に高い断熱性が得られる。夏期は、外窓１の内側面と内窓２の外側面に沿って空気（内気）が流れることで、日射熱と室外から室内に伝わる熱を空気の流れによって回収し室外に捨てることで、日射熱の取得を抑制でき、空気が流出する方向とは逆方向である室外側から室内側への熱輸送が妨げられ、優れた断熱効果を発揮する。これらの働きにより、冷暖房負荷を抑えることができる。
さらに本実施形態の窓は、内窓２の換気ブレス２３を無くし、内窓２の周囲の額縁１６に通気部５を形成したので、内観意匠がシンプルになると共に、ガラス面が増えることで眺望性も向上する。
【００２０】
図５は、本発明の窓の第４実施形態（請求項２記載の発明の実施形態）を示している。本実施形態は、額縁１６と内窓２の周囲の内壁２８とに通気口２９，３０を設けることで、中間層３から室内空間に連通する通気部５を、内窓２の外周側から中間層３にわたって設けてある。
本実施形態の窓も、第３実施形態と同様に、内窓２に通気部を設ける必要がないので、内観意匠がシンプルになると共に、ガラス面が増えることで眺望性も向上する。
【００２１】
図６は、本発明の窓の第５実施形態（請求項１及び請求項２記載の発明の実施形態）を示している。本実施形態は、外窓１の上枠９の上方の外壁１４と額縁１６の整流板６より室外側とに通気口１５，１７を設けることで、室外空間から中間層３に連通する通気部４を、外窓１の外周側から中間層３にわたって設けてある。また、額縁１６の整流板６より室内側と内窓２の周囲の内壁２８とに通気口２９，３０を設けることで、中間層３から室内空間に連通する通気部５を、内窓２の外周側から中間層３にわたって設けてある。
本実施形態によれば、外窓１に通気部を設ける必要がないので、窓の外観意匠がシンプルになり、また、内窓２を後から取付けて二重窓とする場合に、既存の窓（外窓１）をそのまま利用できる。さらに、内窓２に通気部を設ける必要がないので、内観意匠がシンプルになると共に、ガラス面が増えることで眺望性も向上する。また、本実施形態のように、中間層３に通じる通気口１７，２９が内周側に向けて開口していることで、整流板６が無くても中間層３内に外窓１の内側面と内窓２の外側面に沿うように迂回する空気の流れをつくることができるので、整流板６は必ずしもなくてもよい。
【００２２】
図７は、本発明の窓の第６実施形態（請求項１及び請求項２記載の発明の実施形態）を示している。本実施形態は、壁に設けられた通気層２０を利用して、室外空間から中間層３に連通する通気部４を、外窓１の外周側から中間層３にわたって設けてある。また、額縁１６の整流板６より室内側と内窓２の周囲の内壁２８とに通気口２９，３０を設けることで、中間層３から室内空間に連通する通気部５を、内窓２の外周側から中間層３にわたって設けてある。
本実施形態によれば、外窓１に通気部を設ける必要がなく、且つ外壁１４にも通気口が不要なため、外観意匠がより一層シンプルになり、また、内窓２を後から取付けて二重窓とする場合に、既存の窓（外窓１）をそのまま利用できる。外壁１４に通気口を設ける必要がないので、施工が容易である。さらに、内窓２に通気部を設ける必要がないので、内観意匠がシンプルになると共に、ガラス面が増えることで眺望性も向上する。
【００２３】
図８，９は、本発明の窓の第７実施形態（請求項１記載の発明の実施形態）を示している。本実施形態は、ダブルスキンのカーテンウォールに適用したものであって、躯体開口部に設置した外窓１と内窓２を備え、図９に示すように、外窓１の上枠９よりも外周側に室外空間から中間層３に連通する通気部４が設けてある。内窓２の上枠１９には、室内外方向に連通する通気部５を有している。外窓１の外周の通気部４の室内側には、躯体を隠すように取付けたカバーの垂れ壁３１が対向して位置している。
冬期において、外窓１外周の通気部４から流入した空気は、垂れ壁３１に当たることで下向きに向きを変えて流れ、これにより中間層３内に外窓１と内窓２に沿うように迂回する空気の流れをつくることができる。外窓１には通気部が不要なため、外窓１の意匠がシンプルになる。
【００２４】
以上に述べたように本窓（第１，２，５，６，７実施形態）は、外窓１と内窓２とを備え、室外空間から外窓・内窓間の中間層３に連通する通気部４と、中間層３から室内空間に連通する通気部５を有し、室外空間から中間層３に連通する通気部４は、外窓１の外周側から中間層３にわたって設けてあり、室外と連通して外窓１の内側面に沿って一方向に空気が流れ、中間層３の端部で折り返し、室内と連通して内窓２の外側面に沿って他方向に空気が流れることで、室内から室外に逃げる熱を回収するか、室外から室内に入ってくる熱を室外に捨てることで、窓からの熱の出入りを減らし、冷暖房負荷を抑えることができる。外窓１に通気部が不要なため、外観意匠がシンプルになる。また、内窓２を後から取付けて二重窓とする場合に、既存の窓（外窓１）をそのまま利用できる。
【００２５】
本窓（第３，４，５，６実施形態）は、外窓１と内窓２とを備え、室外空間から外窓・内窓間の中間層３に連通する通気部４と、中間層３から室内空間に連通する通気部５を有し、中間層３から室内空間に連通する通気部５は、内窓２の外周側から中間層３にわたって設けてあり、室外と連通して外窓１の内側面に沿って一方向に空気が流れ、中間層３の端部で折り返し、室内と連通して内窓２の外側面に沿って他方向に空気が流れることで、室内から室外に逃げる熱を回収するか、室外から室内に入ってくる熱を室外に捨てることで、窓からの熱の出入りを減らし、冷暖房負荷を抑えることができる。内窓２に通気部が不要なため、内観意匠がシンプルになると共に、ガラス面が増えることで眺望性も向上する。
【００２６】
本発明は以上に述べた実施形態に限定されない。外窓と内窓の形態は任意であり、引違い窓に限らず、嵌め殺し窓や開き窓等であってもよい。外窓及び内窓の納まりは、適宜変更することができる。室外空間から中間層に連通する通気部、中間層から室内空間に連通する通気部は、外窓や内窓の外周側から中間層にわたって設けてあればよく、通気部を構成する通気口の位置や形態は問わない。外窓と内窓の枠は、一体に形成してあってもよい。本発明の窓は、空気が流れる向きが室外から室内だけのもの、室内から室外だけのもの、室外から室内と室内から室外の両方向に空気が流れるものの何れであってもよい。本発明は、新築の建物に外窓と内窓を新たに設置する場合の他、既存の単体のサッシ（外窓）が取付けられた窓に、後から内窓を増設して二重窓とする場合にも適用でき、既存の外窓を利用することで、コストが抑えられる。
【符号の説明】
【００２７】
１  外窓
２  内窓
３  中間層
４，５  通気部
【図１】
2020148039.tif 000003
【図２】
2020148039.tif 000004
【図３】
2020148039.tif 000005
【図４】
2020148039.tif 000006
【図５】
2020148039.tif 000007
【図６】
2020148039.tif 000008
【図７】
2020148039.tif 000009
【図８】
2020148039.tif 000010
【図９】
2020148039.tif 000011